(57)【要約】【課題】チップを確実に装着することができるピペットを提供する。【解決手段】アダプタと、前記アダプタの基端側に接続されたパイプとを備え、前記アダプタは、基端側から先端側に向かって漸次断面積が縮小される錐台形状であり、前記アダプタの中心軸に対する側面の勾配が０．０５〜１０．０度であるピペット。【選択図】図１
2018130658.tif 000002
【特許請求の範囲】
【請求項１】
アダプタと、前記アダプタの基端側に接続されたパイプとを備え、
前記アダプタは、基端側から先端側に向かって漸次断面積が縮小される錐台形状であり、
前記アダプタの中心軸に対する側面の勾配が０．０５〜１０．０度であるピペット。
【請求項２】
前記パイプの長さが１００〜５００ｍｍである、請求項１に記載のピペット。
【請求項３】
前記アダプタは、チップの装着用である、請求項１または２に記載のピペット。
【請求項４】
アダプタと、前記アダプタの基端側に接続されたパイプと、前記アダプタの先端側に装着されたチップとを備え、
前記アダプタは、基端側から先端側に向かって漸次断面積が縮小される錐台形状であり、
前記アダプタの中心軸に対する側面の勾配が０．０５〜１０．０度であるピペット。
【発明の詳細な説明】
【技術分野】
【０００１】
本発明は、ピペットに関する。
【背景技術】
【０００２】
生体分子や細胞を溶解・分散した溶液を分注するために、特許文献１のようなピペットが用いられている。また、分子生物学実験等では、マイクロピペッターの先端にチップを装着して微量の液体を取り扱う場合がある。
【先行技術文献】
【特許文献】
【０００３】
【特許文献１】特開２０１５−１９２９８９号公報
【発明の概要】
【発明が解決しようとする課題】
【０００４】
ところで、従来のピペットにマイクロピペッター用のチップを装着できると便利な場合がある。しかしながら、従来のピペットにマイクロピペッター用のチップを取り付けることは困難であった。
【０００５】
本発明は、上記事情に鑑みてなされたものであって、チップを確実に装着することができるピペットを提供することを目的とする。
【課題を解決するための手段】
【０００６】
本発明は、以下の態様を含む。
［１］アダプタと、前記アダプタの基端側に接続されたパイプとを備え、前記アダプタは、基端側から先端側に向かって漸次断面積が縮小される錐台形状であり、前記アダプタの中心軸に対する側面の勾配が０．０５〜１０．０度であるピペット。
［２］前記パイプの長さが１００〜５００ｍｍである、［１］に記載のピペット。
［３］前記アダプタがチップの装着用である、［１］または［２］に記載のピペット。
［４］アダプタと、前記アダプタの基端側に接続されたパイプと、前記アダプタの先端側に装着されたチップとを備え、前記アダプタは、基端側から先端側に向かって漸次断面積が縮小される錐台形状であり、前記アダプタの中心軸に対する側面の勾配が０．０５〜１０．０度であるピペット。
【発明の効果】
【０００７】
本発明のピペットによれば、チップを確実に装着することができる。
【図面の簡単な説明】
【０００８】
【図１】一実施形態のピペットの断面模式図である。
【図２】一実施形態のチップ付きピペットの断面模式図である。
【図３】（ａ）〜（ｃ）は、一実施形態のピペットの接続部付近の断面模式図である。
【発明を実施するための形態】
【０００９】
以下、一実施形態のピペットについて詳細に説明する。なお、以下の説明で用いる図面は、特徴をわかりやすくするために、便宜上特徴となる部分を拡大して示している場合があり、各構成要素の寸法比率などが実際と同じであるとは限らない。また、同一又は対応する部分には同一又は対応する符号を付し、重複する説明は省略する。
【００１０】
［ピペット］
一実施形態において、本発明は、アダプタと、前記アダプタの基端側に接続されたパイプとを備え、前記アダプタは、基端側から先端側に向かって漸次断面積が縮小される錐台形状であり、前記アダプタの中心軸に対する側面の勾配が０．０５〜１０．０度であるピペットを提供する。
【００１１】
先ず、一実施形態のピペットの構成について説明する。図１は、本実施形態のピペットの断面模式図である。
【００１２】
図１に示すように、本実施形態のピペット１００は、アダプタ１１０と、前記アダプタ１１０の基端側に接続されたパイプ１３０とを備える。前記アダプタ１１０は、基端側から先端側に向かって漸次断面積が縮小される錐台形状である。前記アダプタ１１０の中心軸ａに対する側面の勾配αは０．０５〜１０．０度である。
【００１３】
ピペット１００の容量は、例えば、１〜２００ｍＬであってもよく、２〜１５０ｍＬであってもよく、２〜１００ｍＬであってもよい。ピペット１００の容量が上記範囲内であることにより、大容量を一度に処理することができる。
【００１４】
（アダプタ）
アダプタ１１０は、基端側から先端側に向かって漸次断面積が縮小される錐台形状である。アダプタ１１０の形状としては、例えば、円錐台形状、角錐台形状、半球台形状等が挙げられる。チップ１４０を隙間なく密着させる観点からは、アダプタ１１０の形状は、円錐台形状であることが好ましい。
【００１５】
アダプタ１１０の中心軸ａに対する側面の勾配αは０．０５〜１０．０度であり、０．１〜５．０度であることが好ましく、０．５〜２．０度であることがより好ましい。勾配αが上記範囲内であることにより、アダプタ１１０に確実にチップ１４０を装着することができる。
【００１６】
アダプタ１１０の錐台形状の高さ（中心軸ａ方向の長さ）Ｌは、５〜３０ｍｍであることが好ましく、７〜２５ｍｍであることがより好ましく、１０〜２０ｍｍであることがより一層好ましい。長さＬが上記範囲内であることにより、アダプタ１１０に確実にチップ１４０を装着することができる。
【００１７】
アダプタ１１０の材質は、通常、ピペットの材質として用いられるものであれば特に制限されず使用することができる。アダプタ１１０の材質としては、例えば、ポリエチレン、ポリスチレン、ポリプロピレン、環状ポリオレフィン、ポリカーボネート、ポリメチルペンテン等が挙げられる。
【００１８】
（接続部）
アダプタ１１０は、直接パイプ１３０に接続されていてもよいし、アダプタ１１０とパイプ１３０との間に接続部１２０を設けてもよい。
【００１９】
接続部１２０の形状は、アダプタ１１０とパイプ１３０を接続することができれば特に制限されない。図３は、一実施形態のピペットの接続部付近の断面模式図である。接続部１２０の形状は、図３（ａ）に示されるように、円錐台形状や角錐台形状であってもよい。あるいは、図３（ｂ）に示されるように、半球台形状等であってもよい。あるいは、図３（ｃ）に示されるように、アダプタ１１０は、接続部１２０を介さずに、パイプ１３０と直接接続されていてもよい。このうち、接続部１２０の形状は、円錐台形状であってもよい。
【００２０】
接続部１２０の材質も特に制限されず、上述したアダプタと同様のものを用いることができる。
【００２１】
（パイプ）
パイプ１３０の長さとは、パイプ１３０の長軸方向の長さをいう。パイプ１３０の長さは１００〜５００ｍｍであり、１２０〜４００ｍｍであることが好ましく、１４０〜３００ｍｍであることがより好ましい。パイプ１３０の長さが上記範囲内であることにより、内部を適切な体積とすることができ、器材への雑菌の接触面積を少なくすることができ、結果として雑菌による汚染を抑制することができる。
【００２２】
パイプ１３０の材質も特に制限されず、上述したアダプタと同様のものを用いることができる。
【００２３】
（チップ）
チップ１４０とは、通常、分子生物学実験等で用いられるマイクロピペッターの先端に着脱可能に取り付けられる管をいう。アダプタ１１０の先端にはチップ１４０を装着することができる。すなわち、アダプタ１１０は、チップ１４０の装着用であってもよい。チップ１４０は、市販のチップ（ポリエチレン製）であることが好ましく、使い捨てであっても、再利用可能であってもよい。
【００２４】
チップ１４０は、内径０．１〜１．０ｍｍの先端開口部を有することが好ましい。チップ１４０の先端開口部の内径は、０．２〜０．９ｍｍであることがより好ましい。チップ１４０の先端開口部の内径が上記範囲内であることにより、本願にかかるピペットへの装着が良好となる。
【００２５】
チップ１４０の内側の面は、基端側から先端側に向かって漸次断面積が縮小される錐台形状となっている。錐台形状としては、円錐台形状、角錐台形状、半球台形状等が挙げられるが、一般的には円錐台形状である。前記チップの中心軸に対する内側の面の勾配は、０．０５〜１０．０度であることが好ましく、０．５〜２．０度であることがより好ましい。
【００２６】
本実施形態のピペット１００は、アダプタ１１０にチップ１４０を装着せずに用いることもできるし、アダプタ１１０にチップ１４０を装着して用いることもできる。
【００２７】
（吸引用チップ）
パイプ１３０の、アダプタ１１０に接続される端と反対側の端には、吸引用チップ１５０が接続されていることが好ましい。吸引用チップは、吸引するための自動吸引装置に取り付けることもできるし、手動の吸引装置を取り付けてもよい。吸引用チップ１５０の材質も特に限定されず、上述したアダプタと同様のものを用いることができる。吸引用チップ１５０は、後述する綿栓１６０を収容していてもよい。
【００２８】
アダプタ１１０、接続部１２０、パイプ１３０、及び吸引用チップ１５０の接合方法としては、熱溶着、レーザー溶着、超音波溶着、接着剤・粘着剤を使用した接着などが挙げられる。また、部品を接合する以外に、パイプの引き伸ばしによって形成してもよい。
【００２９】
（綿栓）
吸引用チップには綿栓１６０が収容されていてもよい。綿栓１６０が装着されていることにより、ピペット１００の容量を超える液を吸引しようとした場合に、綿栓１６０で止めることができる。綿栓１６０の材質は、通常、ピペットに用いられるものであれば、特に制限されず使用することができる。綿栓１６０の材質としては、例えば、綿、焼結体、濾紙等が挙げられる。
【００３０】
［チップ付きピペット］
一実施形態において、本発明は、アダプタと、前記アダプタの基端側に接続されたパイプと、前記アダプタの先端側に装着されたチップとを備え、前記アダプタは、基端側から先端側に向かって漸次断面積が縮小される錐台形状であり、前記アダプタの中心軸に対する側面の勾配が０．０５〜１０．０度であるピペットを提供する。
【００３１】
図２は、一実施形態のチップ付きピペット２００の断面模式図である。アダプタ１１０、接続部１２０、パイプ１３０、チップ１４０、吸引用チップ１５０、及び綿栓１６０は、上述したものと同様である。
【００３２】
本実施形態のピペット２００は、アダプタ１１０と、前記アダプタ１１０の基端側に接続されたパイプ１３０と、前記アダプタ１１０の先端側に装着されたチップ１４０とを備える。前記アダプタ１１０は、基端側から先端側に向かって漸次断面積が縮小される錐台形状であり、前記アダプタ１１０の中心軸ａに対する側面の勾配αは０．０５〜１０．０度である。上記の特徴を備えていることにより、アダプタ１１０とチップ１４０との適合性が向上し、チップ１４０が作業中に外れにくくなる。
【実施例】
【００３３】
以下、本発明の効果を実施例及び比較例を用いて詳細に説明するが、本発明は下記の実施例に限定されるものではない。
【００３４】
＜ピペットの作製＞
以下に示すようにして、実施例１及び２、並びに比較例１及び２のピペットを作製した。
【００３５】
（実施例１）
中心軸に対する側面の勾配が１．４度である円錐台形状のアダプタ（ポリエチレン製）と円錐台形状の接続部（ポリエチレン製）が一体成型された部品と、長さ１５２ｍｍのパイプ（ポリエチレン製）と、吸引用チップ（ポリエチレン製）とを溶着ラインに投入してこの順に接続し、ピペットを作製した。得られたピペットの吸引用チップに綿栓を挿入し、実施例１のピペットを得た。
【００３６】
（実施例２）
アダプタの中心軸に対する側面の勾配を１．４度から１．０度に変更した以外は、実施例１と同様にして実施例２のピペットを作製した。
【００３７】
（比較例１）
アダプタの中心軸に対する側面の勾配を１．４度から１３度に変更した以外は、実施例１と同様にして比較例１のピペットを作製した。
【００３８】
＜アダプタとチップの適合性の評価＞
上記のアダプタに市販のチップ（ワトソン社製、先端開口部の内径７．２ｍｍ、ポリエチレン製）を装着した。以下のように、アダプタとチップの適合性を評価した。適合性の評価は、アダプタとチップを装着した状態で、超純水の分注を３回繰り返した際の、アダプタとチップ接合部からの液漏れで評価した。この結果、実施例１，２のピペットでは液漏れがないことが、また比較例１では液漏れがあることが目視にて確認できた。
【産業上の利用可能性】
【００３９】
本発明のピペットは、チップを確実に装着することができるものである。
【符号の説明】
【００４０】
１００，２００…ピペット、１１０…アダプタ、１２０…接続部、１３０…パイプ、１４０…チップ、１５０…吸引用チップ、１６０…綿栓、α…アダプタの中心軸に対する側面の勾配、ａ…アダプタの中心軸、Ｌ…アダプタの錐台形状の高さ。
【図１】
2018130658.tif 000003
【図２】
2018130658.tif 000004
【図３】
2018130658.tif 000005